(57)【要約】【課題】  利用する機能をユーザーがカスタマイズすることによって不要な電源領域をオフにする事により消費電力の低い電子回路、携帯情報機器を得る。【解決手段】  ユーザーが利用可能な第１及び第２ソフトウェアを各々動作させる第１ソフトウェア動作部４及び第２ソフトウェア動作部５と、上記第１ソフトウェア動作部及び上記第２ソフトウェア動作部に供給される各電力を各々独立して制御する電力制御部２ａと、上記第１ソフトウェア動作部及び上記第２ソフトウェア動作部をユーザーが各々利用するか否かが設定された設定保持部３とを備え、上記電力制御部は、上記設定保持部の設定内容に応じて上記第１ソフトウェア動作部及び上記第２ソフトウェア動作部への供給電力を制御するようにした。【選択図】        図１
2005332203.tif 000002
【特許請求の範囲】
【請求項１】
ユーザーが利用可能な第１及び第２ソフトウェアを各々動作させる第１ソフトウェア動作部及び第２ソフトウェア動作部と、
上記第１ソフトウェア動作部及び上記第２ソフトウェア動作部に供給される各電力を各々独立して制御する電力制御部と、
上記第１ソフトウェア動作部及び上記第２ソフトウェア動作部をユーザーが各々利用するか否かが設定された設定保持部とを備え、
上記電力制御部は、上記設定保持部の設定内容に応じて上記第１ソフトウェア動作部及び上記第２ソフトウェア動作部への供給電力を制御することを特徴とする電力供給回路。
【請求項２】
時刻を計測するタイマを備えて、
電力供給回路は、上記タイマが示す時刻及び設定保持部で設定された設定内容に応じて各供給する電力を制御することを特徴とする請求項１記載の電力供給回路。
【請求項３】
複数ユーザーについて、夫々のユーザー毎に設定保持部で設定される設定値を記憶していて、かつ特定のユーザーを識別するユーザー識別部を備えて、
電力供給回路は、上記ユーザー識別部で識別したユーザー設定により上記設定保持部の設定値を設定して、供給する電力を制御することを特徴とする請求項１ないし請求項２記載の電力供給回路。
【請求項４】
第１ソフトウェア動作部及び第２ソフトウェア動作部は、通信部、カメラ制御部、３次元描画エンジン動作部、特定ソフトウェア・アクセラレータ動作部の、少なくともいずれかを含むことを特徴とする請求項１記載の携帯情報機器。
【発明の詳細な説明】
【技術分野】
【０００１】
この発明は、外部からユーザーが特定部分に対する電源供給を制御して省電力化を図った携帯情報機器に用いられる回路、及び情報機器に関するものである。
【背景技術】
【０００２】
従来の省電力化を目的とする携帯端末装置においては、通信のモードによって特定部分の電源をＯＮ／ＯＦＦする電源制御手段を備えている。具体的には特許文献１によれば、制御対象となる半導体デバイスを複数の電源領域に分け、電源制御手段がその時々の通信モードの状態に応じて、例えばスリープ通信モードの場合は検出部以外の全部の電源を切り、呼出の検出をすると、照合部分に電源が供給されて動作し、次いで自端末宛の通信であると認識すると、全体が受信動作をする。こうして電源供給を分けた各電源領域を、通信手順の進行に応じて順次電源をＯＮにして部分供給することにより、半導体デバイス全体としては消費電力を抑えている。
【特許文献１】特開２００３−２０９６１６号公報
【発明の開示】
【発明が解決しようとする課題】
【０００３】
従来の携帯端末装置は以上のように構成されているので、予め電源制御手段に組み込まれたアルゴリズムによってのみ電源領域のＯＮ／ＯＦＦが行われ、ユーザーが全く利用しない電源領域もＯＮとなり、省電力化が徹底しないという課題がある。
【０００４】
この発明は上記のような課題を解消するためになされたもので、利用する機能をユーザーがカスタマイズすることによって不要な電源領域をオフにする事により消費電力の低い電子回路、携帯電子機器を得る。
【課題を解決するための手段】
【０００５】
この発明に係る区分電力供給回路は、ユーザーが利用可能な第１及び第２ソフトウェアを各々動作させる第１ソフトウェア動作部及び第２ソフトウェア動作部と、
上記第１ソフトウェア動作部及び上記第２ソフトウェア動作部に供給される各電力を各々独立して制御する電力制御部と、
上記第１ソフトウェア動作部及び上記第２ソフトウェア動作部をユーザーが各々利用するか否かが設定された設定保持部とを備え、
上記電力制御部は、上記設定保持部の設定内容に応じて上記第１ソフトウェア動作部及び上記第２ソフトウェア動作部への供給電力を制御するようにした。
【発明の効果】
【０００６】
この発明によれば半導体デバイスのような回路、情報機器の電力供給領域を外部からユーザーが独立にオン／オフ制御するようにしたので、ユーザーが利用しない電源領域の消費電力を削減し、省電力化が図れる効果がある。
【発明を実施するための最良の形態】
【０００７】
実施の形態１．
情報機器に組込んだ論理に従って固定的に電力供給するのではなく、外部からユーザーが指定することで省電力化する構成を説明する。
図２は、この発明の実施の形態１における情報機器としての、携帯端末装置の全体構成を示すブロック図である。本構成は、情報機器の本来の動作に係るものではなく、省電力に関するものなので、装置の動作そのものに関しての接続を詳細には示していない。図において、携帯端末装置のロジック部１４は一つあるいは複数の半導体デバイスにより構成され、機能ごとに分割された複数の電源領域を持ち、電源部１３から電源の供給を受けて動作する。また変復調部１１ｃと通信部１１ｄは、ロジック部１４の外にある無線部１１と接続され、キーインタフェース（Ｉ／Ｆ）１２ｃはロジック部１４外のキー１２と、液晶画面（ＬＣＤ）Ｉ／Ｆ１８ｃはロジック部１４外のＬＣＤ１８と接続されている。オーディオＩ／Ｆ１５ｃはロジック部１４外のスピーカ１５、マイク１６と接続されている。これらは基本的には常時、電源部１３から電源供給を受けている。
【０００８】
図１は、本実施の形態における、ロジック部１４に電源を分割供給する構成を示す構成ブロック図である。図において、図２と同じ構成要素は、同じ番号で示しているが、電力制御部２ａと電源部１３とはどちらが先にあってもよく、要は分割した電源領域（ソフトウェア動作部）にユーザー設定に対応して電力を供給する構成である。
ユーザー１は、ユーザー設定ＯＮ／ＯＦＦレジスタ（ユーザー設定保持部）３を設定する。つまり利用する機能、利用しない機能の設定を行う。携帯端末装置はこの利用する機能の設定に従って電力制御部２ａにより電源部１３またはその出力を制御する。その結果、半導体デバイス上に設けたロジック部１４の複数の異なる第１ソフトウェア動作部（電源領域Ａ）４、第２ソフトウェア動作部（電源領域Ｂ）５、第３ソフトウェア動作部（電源領域Ｃ）６への、各供給する電力のＯＮ／ＯＦＦを個別に制御する。つまり利用する機能対応の領域だけに電源供給がＯＮとなり、電源が供給される。このユーザー設定ＯＮ／ＯＦＦレジスタ３と、電力制御部２ａによる電源領域Ａ４と電源領域Ｂ５と電源領域Ｃ６との個別供給の、機能と供給領域の対応付けは、一般的な論理で対処できる。
【０００９】
例えば図１において、機能Ａに図２のカメラＩ／Ｆ１７ｃ、機能Ｂに３Ｄ（３次元描画）エンジン１７ｄ、機能ＣにＪａｖａ（登録商標）（特定ソフトウェア）アクセラレータ１１ｅが割り当てられるとする。ユーザー１はカメラを使用するが、３ＤやＪａｖａ（登録商標）を使用しない場合、ユーザー１はユーザー設定ＯＮ／ＯＦＦレジスタ３に機能Ａを利用する、機能Ｂと機能Ｃを利用しないと設定する。
電力制御部２ａはユーザー設定ＯＮ／ＯＦＦレジスタ３の設定に従って電源部１３を制御し、電源領域Ａ４、つまりカメラ１７とカメラＩ／Ｆ１７ｃの電源のみをＯＮとし、電源領域Ｂ５、電源領域Ｃ６の電源はＯＦＦとする。
この場合、ユーザー設定ＯＮ／ＯＦＦレジスタ３は、単純に機能と領域とが１対１に対応しているが、１機能が複数領域に対応していれば、その複数の領域をＯＮ／ＯＦＦし、逆にある領域が複数の機能により使用される場合は、それらどれかの機能がＯＮ指定であればＯＮとなって電力供給される制御となる。
【００１０】
こうすることによって、ユーザー１が利用する電源領域のみがＯＮとなり、利用しない不要な電源領域のリーク電流を削減することができて消費電流を低く抑え、省電力が得られる効果がある。
【００１１】
本実施の形態における他の省電力化の構成を説明する。
図３は、従来の予め組み込まれたアルゴリズムによって電源部１３を制御する電力制御部２ｂを併用して、第４ソフトウェア動作部（電源領域Ｄ）７の電源のＯＮ／ＯＦＦを制御する。それ以外の電力制御部２ａがユーザー１よって設定されたユーザー設定ＯＮ／ＯＦＦレジスタ３により電源部１３を制御し、電源領域Ｂ５、電源領域Ｃ６の電源ＯＮ／ＯＦＦ制御に関しては、図１の構成と同様である。
【００１２】
例えば機能Ｄに変復調部１１ｃと通信部１１ｄ及び無線部１１、機能Ｂに３Ｄエンジン１７ｄ、機能ＣにＪａｖａ（登録商標）アクセラレータ１１ｅが割り当てられているとする。
電源領域Ｄ７は、ユーザー設定ＯＮ／ＯＦＦレジスタ３の設定に関わらず電力制御部２ｂに予め組み込まれたアルゴリズムによって電源のＯＮ／ＯＦＦ制御を行うが、電源領域Ｂ５、電源領域Ｃ６については、ユーザー設定ＯＮ／ＯＦＦレジスタ３に従って電力制御部２ａが電源部１３を制御して、電源の部分供給を行う。
【００１３】
実施の形態２．
他の工夫により更に省電力化を図った構成を説明する。
図４は、本実施の形態における領域分割による電源供給構成を示す図である。図においての特徴は、タイマ８を備えて、ユーザー設定ＯＮ／ＯＦＦレジスタ３に設定されたユーザー設定に、タイマ８による有効期間を設けた構成である。ユーザー１は、ユーザー設定ＯＮ／ＯＦＦレジスタ３に対して利用する機能と利用しない機能の設定とともに、それらの機能の有効期間を設定する。電力制御部２ａはこの設定を受けて電源部１３を制御し、電源領域Ａ４、電源領域Ｂ５、電源領域Ｃ６の設定期間によるＯＮ／ＯＦＦ制御を行う。
【００１４】
例えば図４において、機能Ａにカメラ１７とカメラＩ／Ｆ１７ｃ、機能Ｂに３Ｄエンジン１７ｄ、機能ＣにＪａｖａ（登録商標）アクセラレータ１１ｅが割り当てられているとする。またユーザー１が昼間はカメラ、３Ｄ、Ｊａｖａ（登録商標）とも使用するが夜間はどれも使用しない場合、ユーザー１はユーザー設定ＯＮ／ＯＦＦレジスタ３に機能Ａと機能Ｂと機能Ｃを利用しない期間（例えば午後９時から午前９時の１２時間）を設定する。
電力制御部２ａはユーザー設定ＯＮ／ＯＦＦレジスタ３の設定に従って午後９時になると、電源部１３を制御して、電源領域Ａ４、電源領域Ｂ５、電源領域Ｃ６の電源をＯＦＦにする。
設定期間経過して午前９時になると、ユーザー設定ＯＮ／ＯＦＦレジスタ３は設定を解除する。電力制御部２ａはユーザー設定ＯＮ／ＯＦＦレジスタ３の設定に従って電源部１３を制御して、電源領域Ａ４、電源領域Ｂ５、電源領域Ｃ６の電源をＯＮにする。
このようにすれば、更に木目細かく省電力化が図れる。
【００１５】
実施の形態３．
他の工夫により更に省電力化を図った構成を説明する。
図５は、本実施の形態における領域分割による電源供給構成を示す図である。図においての特徴は、設定値記憶・ユーザー識別部９を備えることである。設定値記憶・ユーザー識別部９は予め複数ユーザーの電源領域ＯＮ／ＯＦＦ設定値情報を記憶していて、ユーザー１を識別して、複数ユーザーの電源領域ＯＮ／ＯＦＦ設定値情報からこの識別されたユーザーの電源領域ＯＮ／ＯＦＦ設定値情報を選択する。そしてこの情報により、ユーザー設定ＯＮ／ＯＦＦレジスタ３の設定を行う。
電力制御部２ａはこの設定を受けて、電源部１３を制御して、電源領域Ａ４、電源領域Ｂ５、電源領域Ｃ６のＯＮ／ＯＦＦの制御を行う。
【００１６】
例えば図５において、機能Ａにカメラ１７とカメラＩ／Ｆ１７ｃ、機能Ｂに３Ｄエンジン１７ｄ、機能ＣにＪａｖａ（登録商標）アクセラレータ１１ｅが割り当てられているとして、ユーザー１がカメラは使用するが、３ＤやＪａｖａ（登録商標）を使用しないとする。その場合、設定値記憶・ユーザー識別部９は、メモリカード等のユーザー固有の情報をもつ媒体からユーザー１を識別し、予め記憶された複数ユーザーの電源領域ＯＮ／ＯＦＦ設定値情報から、識別されたユーザーの電源領域ＯＮ／ＯＦＦ設定値情報を選択する。そして選択結果によりユーザー設定ＯＮ／ＯＦＦレジスタ３に機能Ａを利用する、機能Ｂと機能Ｃを利用しないと設定する。電力制御部２ａは、このユーザー設定ＯＮ／ＯＦＦレジスタ３の設定に従って電源部１３を制御し、電源領域Ａ４の電源のみをＯＮとし、電源領域Ｂ５と電源領域Ｃ６の電源はＯＦＦとする。
【図面の簡単な説明】
【００１７】
【図１】本発明の実施の形態１におけるロジック部等に電源を分割供給する構成を示す図である。
【図２】実施の形態１における電子機器としての携帯端末装置の全体構成を示すブロック図である。
【図３】実施の形態１におけるロジック部等に電源を分割供給する他の構成を示す図である。
【図４】本発明の実施の形態２におけるロジック部等に電源を分割供給する構成を示す図である。
【図５】本発明の実施の形態３におけるロジック部等に電源を分割供給する構成を示す図である。
【符号の説明】
【００１８】
２ａ  電力制御部、２ｂ  電力制御部、３  ユーザー設定ＯＮ／ＯＦＦレジスタ、４  電源領域Ａ、５  電源領域Ｂ、６  電源領域Ｃ、７  電源領域Ｄ、８  タイマ、９  設定値記憶・ユーザー識別部、１０  アンテナ、１１  無線部、１１ｃ  変復調部、１１ｄ  通信部、１１ｅ  Ｊａｖａ（登録商標）アクセラレータ、１２  キー、１２ｃ  キーＩ／Ｆ、１３  電源部、１４  ロジック部、１５  スピーカ、１５ｃ  オーディオＩ／Ｆ、１６  マイク、１７  カメラ、１７ｃ  カメラＩ／Ｆ、１７ｄ  ３Ｄエンジン、１８  ＬＣＤ、１８ｃ  ＬＣＤ  Ｉ／Ｆ。
【図１】
2005332203.tif 000003
【図２】
2005332203.tif 000004
【図３】
2005332203.tif 000005
【図４】
2005332203.tif 000006
【図５】
2005332203.tif 000007